(57)【特許請求の範囲】
【請求項１】
矩形の床部材の４周縁上に矩形のパネルを起立させ、隣接するパネルの直交する端部を、夫々のパネルの端部に結合した中空の板金製支柱同士を嵌合させて結合して、矩形筒状の側壁を構成した輸送容器であって、
隣接するパネルの直交して嵌合する双方の支柱が、パネル外壁面に沿ってパネル側方に延在し、内面の定箇所に柱抜け止め用係止片を一体に突設した第１柱板と、この第１柱板からパネル内壁面側に略直角に折曲され、第１柱板の係止片に対応する定箇所に相手側支柱との嵌合時に相手側支柱の係止片が嵌挿される柱抜け止め用係止穴を有する第２柱板から成る横断面Ｌ形で、相互に直交方向から嵌脱可能に抱合せ嵌合する各支柱共通の係合部を有することを特徴とする鋼板製輸送容器。
【発明の詳細な説明】
【０００１】
【産業上の利用分野】
本発明は、自動車部品の輸送等に使用される簡易組立式の鋼板製輸送容器に関する。
【０００２】
【従来の技術】
自動車部品等の物品を収納して輸出等の輸送に使用される輸送容器に、ボルトや釘を使用せずに簡単な作業で組立と解体ができる簡易組立式の鋼板製輸送容器がある。この種の輸送容器は、鋼板製の矩形床部材の周縁上に鋼板製の矩形パネルを起立させ、各パネルの直交する端部同士を嵌め込み式に結合して、矩形筒状の側壁を構成している。パネルは、波板鋼板を用いた、或いは、枠組だけの軽量なものが使用される。隣接する直交したパネル同士の連結は、各パネルの端部に固定した中空の鋼板製支柱を互いに嵌合させることで行われており、その具体例を図７に示し説明する。
【０００３】
図７の鋼板製輸送容器は、下面に滑材２を固定した矩形の床部材１の４周縁部上に４枚の同一高さのパネル１１を起立させて、方形状の側壁を構成する。床部材１は、例えば正方形で、下面の両側と中央に平行な滑材２が固定される。４枚のパネル１１の内、床部材１上に滑材２と平行な方向に起立するパネルが側パネル、滑材２と直交する方向、即ちフォークリフトの爪等が入る方向に起立するパネルがつまパネルで、以下、側パネルを１１ｓ、つまパネルを１１ｅとし、区別しない場合はパネル１１と称する。
【０００４】
尚、図７は、床部材１の周縁上に一対のつまパネル１１ｅと１枚の側パネル１１ｓを起立させて結合し、残りの側パネル１１ｓを一対のつまパネル１１ｅに結合させるときの組立図を示している。
【０００５】
一対のつまパネル１１ｅは、例えば軽量で断面係数の大きい波板鋼板１２を縦に用いたもので、波板鋼板１２の上下端部に板金製の上かまち１３と下かまち１４が固定され、左右両端部に一対の板金製の支柱１５、１５’が固定される。一対の側パネル１１ｓも波板鋼板１２を縦に用いたもので、波板鋼板１２の上下端部に板金製の上かまち１３と下かまち１４が固定され、左右両端部に一対の板金製の支柱１６、１６’が固定される。
【０００６】
床部材１の上面の周縁部には、板金製のグリップ金具３が固定され、このグリップ金具３に各パネル１１の下かまち１４が嵌め込み係合されて、各パネル１１が床部材１の周縁部上に自立するようにしてある。各パネル１１の直交して隣接する側パネル１１ｓとつまパネル１１ｅの端部の結合は、夫々の支柱１５、１６’同士を嵌合させて行われる。その具体例が図８と図９に示される。
【０００７】
図８に示すように、つまパネル１１ｅの片端の支柱１５は、つまパネル１１ｅの端部の内面と端面に沿って溶接等で固定される横断面Ｌ形の固定座部１５ａと、固定座部１５ａから横断面Ｌ形に折曲された係合部１５ｂを備える。係合部１５ｂは、つまパネル１１ｅの外壁面に沿う第１柱板１５ｃと、第１柱板１５ｃの端からパネル内壁面側に略直角に折曲された第２柱板１５ｄで形成され、第２柱板１５ｄの上部外面に柱抜け止め用係止片１５ｍが切り起こして突設される。つまパネル１１ｅの他の片端の支柱１５’は、図１０（ａ）の左側に示すように、右側の支柱１５の固定座部１５ａと係合部１５ｂを左右逆にした同一形状の固定座部１５’ａと係合部１５’ｂを備え、係合部１５’ｂの第１柱板１５’ｃから折曲された第２柱板１５’ｄに係止片１５’ｍが形成される。
【０００８】
また、図８に示すように、つまパネル１１ｅと隣接する側パネル１１ｓの片端の支柱１６’は、側パネル１１ｓの端部の内面と端面に沿って溶接等で固定される横断面Ｌ形の固定座部１６’ａと、固定座部１６’ａから横断面Ｌ形に折曲された係合部１６’ｂを備える。係合部１６’ｂは、側パネル１１ｓの外壁面に沿う第１柱板１６’ｃと、第１柱板１６’ｃの端からパネル内壁面側に略直角に折曲された第２柱板１６’ｄで形成され、第２柱板１６’ｄの上部中央に柱抜け止め用係止穴１６’ｎが形成される。この支柱１６の係合部１６’ｂには、対応するつまパネル１１ｅの支柱１５の係合部１５ｂが嵌脱可能に嵌挿され、嵌挿されたときに係合部１５ｂの係止片１５ｍが係止穴１６’ｎに嵌挿される。側パネル１１ｓの他の片端の支柱１６は、図１０の右側に示すように、左側の支柱１６’の固定座部１６’ａと係合部１６’ｂを左右逆にした同一形状の固定座部１６ａと係合部１６ｂを備え、係合部１６ｂの第１柱板１６ｃから折曲された第２柱板１６ｄに係止穴１６ｎが形成される。
【０００９】
図７乃至図９で、床部材１上での隣接するつまパネル１１ｅと側パネル１１ｓの組立作業を説明する。床部材１の周縁上につまパネル１１ｅを先に起立させておいて、つまパネル１１ｅに隣接する側パネル１１ｓの下かまち１４を床部材１のグリップ金具３に係合させ、側パネル１１ｓをつまパネル１１ｅに向けて起こしていく。このとき、側パネル１１ｓの支柱１６’の係合部１６’ｂの中に下から順につまパネル１１ｅの支柱１５の係合部１５ｂを嵌めていく。側パネル１１ｓが床部材１上にほぼ垂直に起立したところで、図９に示すように、側パネル１１ｓの支柱１６’の係合部１６’ｂがつまパネル１１ｅの支柱１５の係合部１５ｂの外面に沿って嵌挿され、係止片１５ｍが係止穴１６’ｎに挿入される。この段階で隣接するつまパネル１１ｅと側パネル１１ｓのコーナー部分に、両支柱１５、１６’の抱合せ嵌合による角型中空断面の支柱部１７が形成される。このような側パネル１１ｓの組付けは、左右の支柱１６、１６’を床部材１に自立させた一対のつまパネル１１ｅの支柱１５、１５’に同時に嵌合して行われる。
【００１０】
つまパネル１１ｅと側パネル１１ｓのコーナーを形成する支柱部１７は、係止片１５ｍと係止穴１６’ｎの上下の係止で両支柱１５、１６’の上下の相対移動が阻止され、支柱１５、１６’相互の上下の抜けが防止される。また、支柱部１７は、つまパネル１１ｅの支柱１５から側パネル１１ｓの支柱１６’が横に抜けないように、図示しないコーナー金具等で補強される。かかる支柱部１７は、縦方向の強度が強くて、輸送容器の段積み強度を高くする。
【００１１】
【発明が解決しようとする課題】
上記のような鋼板製輸送容器は、床部材１上での各パネル１１の組立と解体が、工具を使わずに簡単に行えるが、支柱同士の嵌合構造に次の（Ａ）〜（Ｄ）の問題があった。
【００１２】
（Ａ）、隣接するつまパネル１１ｅと側パネル１１ｓを、相互の支柱１５、１６’を嵌合させて結合すると、一方の支柱１５の係止片１５ｍが他方の支柱１６’の外面から少し突出して、この突出片が輸送容器外部のものに引っ掛かって傷付けることがあり、取り扱いに注意を要した。また、輸送容器の解体後に各パネル１１を重ねて梱包するとき、パネル端面から突出する係止片１５ｍが梱包の邪魔をすることがあった。
【００１３】
（Ｂ）、輸送容器の各パネル１１の両端に固定する支柱は、つまパネル１１ｅの左右の係止片有りの支柱１５、１５’と、側パネル１１ｓの左右の係止穴有りの支柱１６、１６’の形状の異なる４種類が必要である。そのため、支柱製作費が高くなり、また、４種類の支柱の保守管理が面倒であり、パネル製作時に４種類の支柱を選択して使用しなければならない不便さがあった。
【００１４】
（Ｃ）、図８のように、つまパネル１１ｅに係止片１５ｍの有る支柱１５を取り付けると、床部材１につまパネル１１ｅと先に起立させておいて、係止穴１６’ｎの有る支柱１６’を有する側パネル１１ｓを床部材１に起立させて、両パネルを結合させる必要がある。つまり、床部材１上での各パネル１１の組立順序が決まっており、これが容器組立の作業ミスを招き、容器組立作業性の尚更の向上を難しくしている。
【００１５】
（Ｄ）、床部材１が正方形であれば、つまパネル１１ｅと側パネル１１ｓに縦横サイズの同一のものが使用できて、大部分が共通化できるが、各パネル１１の支柱形状が異なるため、結果的に４枚のパネル１１は２種類に分類され、その種類毎に製作して保管し、種類毎に組立部所や順序が決まる不便さがあった。
【００１６】
本発明の目的は、矩形の床部材の４周縁上に起立させるパネルの構成部品を共通化してパネル製作費を低減させ、かつ、パネル組立順序に自由度を持たせて容器組立作業性を改善した鋼板製輸送容器を提供することにある。
【００１７】
【課題を解決するための手段】
本発明は、矩形の床部材の４周縁上に矩形のパネルを起立させ、隣接するパネルの直交する端部を、夫々のパネルの端部に結合した中空の板金製支柱同士を嵌合させて結合して、矩形筒状の側壁を構成した輸送容器であって、上記目的を達成するため、隣接するパネルの直交して嵌合する双方の支柱が、パネル外壁面に沿ってパネル側方に延在し、内面の定箇所に柱抜け止め用係止片を一体に突設した第１柱板と、この第１柱板からパネル内壁面側に略直角に折曲され、第１柱板の係止片に対応する定箇所に相手側支柱との嵌合時に相手側支柱の係止片が嵌挿される柱抜け止め用係止穴を有する第２柱板から成る横断面Ｌ形で、相互に直交方向から嵌脱可能に抱合せ嵌合する各支柱共通の係合部を有する構造にしたことを特徴とする。
【００１８】
【作用】
矩形の床部材の周縁に起立される４枚のパネルの両端部の支柱は、共に同一形状の横断面Ｌ形の係合部を有するため、各１枚のパネルの左右両端部の支柱の形状が、パネルに固定される部分が係合部の左か右に有るかの違いだけとなって、４枚のパネルの両端部に取り付けられる支柱の形状が２種類だけとなり、支柱製作が有利となると共に、床部材上でのパネルの組立順序の制限が緩和される。また、各パネルの支柱が２種類だけとなる結果、４枚のパネルの縦横サイズが同一であれば、４枚のパネルが同一種類となって、全て共通化される。
【００１９】
また、隣接するパネルの端部の支柱同士を抱合せ嵌合したとき、一方の支柱の係合部の内面側に突設された係止片が、相手側の支柱の係止穴から支柱内に挿入されて、パネル外面に突出することが皆無となる。
【００２０】
【実施例】
以下、本発明の実施例を図１乃至図６を参照して説明する。尚、図１乃至図６の図７と同一、又は、相当部分には同一符号を付して説明は省略する。
【００２１】
図１に示される鋼板製輸送容器は、矩形の床部材１の４周縁部上に４枚のパネル４を起立させて、矩形筒状の側壁を構成するもので、各パネル４の左右両端部に取り付けた板金製の支柱５、５’、６、６’が２種類の形状であることを特徴とする。
【００２２】
各パネル４は、例えば波板鋼板１２の上下端部に上かまち１３と下かまち１４を固定している。また、４枚のパネル４の対向する一対をつまパネル４ｅ、他の一対を側パネル４ｓと称すると、つまパネル４ｅの左右両端部に一対の支柱５、５’が固定され、これと同じ形状の一対の支柱６、６’が側パネル４ｓの左右両端部にも固定される。
【００２３】
つまパネル４ｅの正面から見て右側の支柱５は、図２及び図３に示すように、つまパネル４ｅの端部の内面と端面に沿って溶接等で固定される横断面Ｌ形の固定座部５ａと、固定座部５ａから横断面Ｌ形に折曲された係合部５ｂを有する。係合部５ｂは、つまパネル４ｅの外壁面に沿う第１柱板５ｃと、第１柱板５ｃの端からパネル内壁面側に略直角に折曲された第２柱板５ｄで形成される。係合部５ｂの第１柱板５ｃの上部中央に内面側に切り起こした柱抜け止め用係止片５ｍが突設され、第２柱板５ｄの上部中央の係止片５ｍと同じ高さ位置に柱抜け止め用係止穴５ｎが形成される。
【００２４】
また、つまパネル４ｅの正面から見て左側の支柱５’は、図６に示すように、右側の支柱５の固定座部５ａと係合部５ｂを左右逆にした同一形状の固定座部５’ａと係合部５’ｂを備える。係合部５’ｂは、係止片５’ｍの有る第１柱板５’ｃと係止穴５’ｎの有る第２柱板５’ｄで構成される。つまり、１枚のつまパネル４ｅの左右の支柱５、５’は、係合部５ｂ、５’ｂが同一寸法形状で、係合部５ｂ、５’ｂに対する固定座部５ａ、５’ａの取付け方向が左右逆の一対である。
【００２５】
つまパネル４ｅと隣接する側パネル４ｓの左右両端部の支柱６、６’は、図６の括弧内の符号で示されるように、つまパネル４ｅの左右両端部の支柱５、５’と同一形状である。即ち、側パネル４ｓとつまパネル４ｅの正面から見て右側の支柱５、６’が同一形状であり、左側の支柱５’、６が同一形状であり、同一部分には数字だけを変えた同様な符号を付して説明の重複を避ける。また、直交して隣接する側パネル４ｓとつまパネル４ｅの２種類の支柱５、５’の各係合部５ｂ、６’ｂは、Ｌ形板金の弾性でもって相互に直交方向から嵌脱可能に抱合せ嵌合するよう強度設定される。
【００２６】
床部材１上での各パネル４の組立順序は、一対のつまパネル４ｅを先に行ってもよいし、一対の側パネル４ｓを先に行ってもよい。図１は一対のつまパネル４ｅを先に床部材１上に起立させてから、側パネル４ｓを組付ける様子が示され、このときの側パネル４ｓと隣接するつまパネル４ｅの対応する支柱５、６’同士の結合要領が図２乃至図５に示される。
【００２７】
床部材１の周縁上に一対のつまパネル４ｅを先に起立させ、次に、側パネル４ｓの下かまち１４を床部材１のグリップ金具３に係合させて、側パネル４ｓをつまパネル４ｅに向けて起こして行く。このとき、側パネル４ｓの支柱６’の係合部６’ｂの中に下から順につまパネル４ｅの支柱５の係合部５ｂを嵌めて行く。側パネル４ｓが床部材１上にほぼ垂直に起立すると、図４及び図５に示すように、側パネル４ｓの支柱６’の係合部６’ｂがつまパネル４ｅの支柱５の係合部５ａの外面に沿って嵌挿され、係止片５ｍが係止穴６’ｎに挿入されて、隣接するつまパネル４ｅと側パネル４ｓのコーナー部分に両支柱５、６’の抱合せ嵌合による角型中空断面の支柱部８が形成される。
【００２８】
図４及び図５に示すような支柱同士の抱合せ嵌合は、側パネル４ｓの左右両端部の支柱６、６’と対応する一対のつまパネル４ｅの支柱５、５’に対して同時に行われる。また、床部材１の周縁上に一対の側パネル４ｓを先に起立させてから、つまパネル４ｅを組付けるようにしてもよく、この場合も図２乃至図５の要領で支柱同士の抱合せ嵌合が行われることは、各支柱６、６’、７、７’の係合部６ｂ、６’ｂ、７ｂ、７’ｂが同一形状であることから理解される。
【００２９】
また、床部材１が正方形で各パネル４の縦横サイズが同一の場合、各々の左右の支柱６、６’、７、７’が同一形状であるので、４枚の各パネル４が同一種類となる。その結果、側パネル４ｓとつまパネル４ｅを区別すること無く使用でき、４枚のパネル４の共通化が可能となって、パネル製作費の大幅な低減化、容器組立作業の大幅な改善が容易となる。
【００３０】
尚、上記実施例は、波板鋼板を使用したパネルで側壁を構成した輸送容器で説明したが、本発明は、上下かまちと左右支柱等の骨組みだけのパネルで側壁を構成した透かし構造の輸送容器においても、上記同様に適用できる。
【００３１】
【発明の効果】
本発明によれば、矩形の床部材の周縁に起立される４枚の各パネルの左右両端部の支柱が、共に同一形状の横断面Ｌ形の係合部を有する構造で、この支柱はパネルの左か右に取り付けられるかだけの違いの２種類のものが使用できて、支柱とパネル製作費の低減化が可能となる。また、床部材上に組付ける４枚のパネルは、各一対の側パネルとつまパネルの２種類に分けられるが、両種類のパネルの直交方向から嵌合させる双方の支柱の係合部が同一形状ゆえに、床部材への側パネルとつまパネルの組付け順序が逆になってもよく、その分、容器組立作業性が改善される。特に、床部材が正方形で４枚の各パネルの縦横サイズが同一であれば、４枚のパネルが同一種類となって、全て共通化され、パネル製作費と容器組立作業性の大幅な改善が可能となる。
【００３２】
また、隣接するパネルの端部の支柱同士を抱合せ嵌合したとき、一方の支柱の係合部の内面側に突設された柱抜け止め用係止片が、相手側の支柱の係止穴から支柱内に挿入されるため、係止片がパネル外壁面に突出することが無くなって、輸送容器の搬送や梱包時の取り扱いが便利となる。
【図面の簡単な説明】
【図１】本発明に係る鋼板製輸送容器のパネル組立時の斜視図
【図２】図１輸送容器の部分拡大斜視図
【図３】図２のパネルの要部の横断面図。
【図４】図２のパネルの組付け時の斜視図
【図５】図４のパネルの要部の横断面図。
【図６】図１輸送容器におけるパネルの左右の支柱の拡大斜視図。
【図７】従来の鋼板製輸送容器のパネル組立時の斜視図。
【図８】図７輸送容器の部分拡大斜視図。
【図９】図８のパネルの組付け時の斜視図
【図１０】（ａ）は図７輸送容器におけるつまパネルの左右の支柱の拡大斜視図、（ｂ）は図７輸送容器における側パネルの左右の支柱の拡大斜視図。
【符号の説明】
１      床部材
４      パネル
４ｅ    パネル（つまパネル）
４ｓ    パネル（側パネル）
５、５’      支柱
５ｂ、５’ｂ    係合部
５ｃ、５’ｃ    第１柱板
５ｄ、５’ｄ    第２柱板
５ｍ、５’ｍ    係止片
５ｎ、５’ｎ    係止穴
６、６’      支柱
６ｂ、６’ｂ    係合部
６ｃ、６’ｃ    第１柱板
６ｄ、６’ｄ    第２柱板
６ｍ、６’ｍ    係止片
６ｎ、６’ｎ    係止穴
【図１】
0003542384.tif 000002
【図２】
0003542384.tif 000003
【図３】
0003542384.tif 000004
【図４】
0003542384.tif 000005
【図５】
0003542384.tif 000006
【図６】
0003542384.tif 000007
【図７】
0003542384.tif 000008
【図８】
0003542384.tif 000009
【図９】
0003542384.tif 000010
【図１０】
0003542384.tif 000011